(57)【要約】      （修正有）【課題】エアを充填するだけで極めて簡単に張ることができ、畳めばコンパクトな、嵩張らない状態で収納できる折畳式テントを提供する。【解決手段】平板状のマット部５と、マット部に設けられた複数の支柱９と、マット部と複数の支柱に連結されたシート１５と、シートに設けられた出入口１９とを有する折畳式テントにおいて、マット部と支柱は中空に形成され、その中空部分によってエア被充填部５ａ，９ａが構成され、エア被充填部に連通するエア供給口と、エア供給口を閉鎖する栓体１３を備え、支柱のエア被充填部へエアを充填することで支柱が起立状態となり、シートが広がった状態となってマット部と支柱間に張設される。【選択図】図１
0003189582.tif 000002
【実用新案登録請求の範囲】
【請求項１】
平板状のマット部と、前記マット部に設けられた複数の支柱と、前記マット部と前記複数の支柱に連結されたシートと、前記シートに設けられた出入口とを有する折畳式テントにおいて、前記マット部と前記支柱は中空に形成され、前記中空に形成された部分によってエア被充填部が構成され、前記エア被充填部に連通するエア供給口と、前記エア供給口を閉鎖する栓体を備え、前記支柱のエア被充填部へエアを充填することで前記支柱が起立状態となり、前記シートが広がった状態となって前記マット部と前記支柱間に張設されることを特徴とする折畳式テント。
【請求項２】
平板状のマット部と、前記マット部に設けられた複数の支柱と、前記複数の支柱の上端部に連結された屋根部と、前記マット部、前記複数の支柱及び前記屋根部に連結されたシートと、前記シートに設けられた出入口とを有する折畳式テントにおいて、前記マット部、前記支柱及び前記屋根部は中空に形成され、前記中空に形成された部分によってエア被充填部が構成され、前記エア被充填部に連通するエア供給口と、前記エア供給口を閉鎖する栓体を備え、前記支柱のエア被充填部へエアを充填することで前記支柱が起立状態となり、前記シートが広がった状態となって前記マット部、前記支柱間及び前記屋根部の間の張設されることを特徴とする折畳式テント。
【考案の詳細な説明】
【技術分野】
【０００１】
本考案は折畳式テントに係り、特にエアを充填することで使用可能状態とする折畳式テントに関するものである。
【背景技術】
【０００２】
災害時など体育館等の大型の建物に集団で避難することがある。体育館等における避難生活では互いのプライバシーをできるだけ守るため段ボールなどでつい立をつくることが行われる。しかしながら、このような簡易的なつい立ではプライバシーを守ることは殆どできない。一方、体育館内に特許文献１に示すような折畳式テントを張ることも考えられる。
【先行技術文献】
【特許文献】
【０００３】
【特許文献１】特開２０１１−８９２５６号公報
【考案の概要】
【考案が解決しようとする課題】
【０００４】
しかしながら、上記従来の折畳式テントは支柱等のフレームを組み立ててから、フレームにシートを取り付ける必要があるため組立に手間が掛かるばかりか、金属等によって構成されるフレームとシートとが別々であるため収納時においても嵩張るという問題がある。
本考案は上記従来の問題点に着目して為されたものであり、極めて簡単に張ることができ、畳めばコンパクトな状態とできて収納時においては嵩張ることのない折畳式テントの提供を、その目的とする。
【課題を解決するための手段】
【０００５】
本考案は上記課題を解決するためになされたものであり、請求項１の考案は、平板状のマット部と、前記マット部に設けられた複数の支柱と、前記マット部と前記複数の支柱に連結されたシートと、前記シートに設けられた出入口とを有する折畳式テントにおいて、前記マット部と前記支柱は中空に形成され、前記中空に形成された部分によってエア被充填部が構成され、前記エア被充填部に連通するエア供給口と、前記エア供給口を閉鎖する栓体を備え、前記支柱のエア被充填部へエアを充填することで前記支柱が起立状態となり、前記シートが広がった状態となって前記マット部と前記支柱間に張設されることを特徴とする折畳式テントである。
【０００６】
請求項２の考案は、平板状のマット部と、前記マット部に設けられた複数の支柱と、前記複数の支柱の上端部に連結された屋根部と、前記マット部、前記複数の支柱及び前記屋根部に連結されたシートと、前記シートに設けられた出入口とを有する折畳式テントにおいて、前記マット部、前記支柱及び前記屋根部は中空に形成され、前記中空に形成された部分によってエア被充填部が構成され、前記エア被充填部に連通するエア供給口と、前記エア供給口を閉鎖する栓体を備え、前記支柱のエア被充填部へエアを充填することで前記支柱が起立状態となり、前記シートが広がった状態となって前記マット部、前記支柱間及び前記屋根部の間の張設されることを特徴とする折畳式テントである。
【考案の効果】
【０００７】
本考案の折畳式テントでは、エアをエア被充填部へ充填するだけで極めて簡単に張ることができる。また、畳めばコンパクトな状態とできるので、嵩張らない状態で収納することが可能である。
【図面の簡単な説明】
【０００８】
【図１】本考案の第１実施の形態に係る折畳式テントの斜視図である。
【図２】図１のＡ−Ａ断面図である。
【図３】図１の折畳式テントの平面図である。
【図４】（Ａ）は図１の折畳式テントのエアを抜いた状態の斜視図であり、（Ｂ）は図１の折畳式テントを折り畳んだ状態の斜視図である。
【図５】本考案の第２実施の形態に係る折畳式テントの斜視図である。
【図６】図５のＡ−Ａ断面図である。
【図７】図５のＢ−Ｂ断面図である。
【図８】（Ａ）は図５の折畳式テントのエアを抜いた状態の斜視図であり、（Ｂ）は図５の折畳式テントを折り畳んだ状態の斜視図である。
【考案を実施するための形態】
【０００９】
本考案の第１の実施の形態に係る折畳式テント１を図１から図４にしたがって説明する。
図１に折畳式テント１の後述するエア被充填部５ａ、９ａにエアを充填して、折畳式テント１を張った状態を示す。
符号５はマット部を示し、このマット部５はある程度の厚さ寸法を有するほぼ正方形に形成されている。マット部５の上面には凹凸部７が形成されている。
【００１０】
マット部５の隅角部には支柱９がそれぞれ設けられており、４本の支柱９は互いに近づく方向へ湾曲している。そして、前側の左右の支柱９どうしが上端部において繋がっており、また後側の左右の支柱９どうしが上端部において繋がっている。更に、前側の左右の支柱９どうしが繋がっている部分と、後側の左右の支柱９どうしが繋がっている部分とが連結されている。
【００１１】
マット部５は中空となっており、この中空の部分によってエア被充填部５ａが構成されている。また、支柱９も同様に中空となっており、この中空の部分によってエア被充填部９ａが構成されている。エア被充填部９ａは、その基端部においてエア被充填部５ａと連結し、エア被充填部９ａどうしは、その上端部において互いに連通している。
マット部５の右側部にはエア供給口１１が形成され、このエア供給口１１は栓体１３によって閉鎖することができるようになっている。栓体１３は連結帯１４を介して、マット部５の右側部に取り付けられている。栓体１３、連結帯１４は柔軟性のある合成樹脂によって構成され、栓体１３はエア供給口１１の内周面に密着でき、また連結帯１４はある程度の自由度をもって湾曲させることができるようになっている。
【００１２】
マット部５と支柱９にはシート１５が連結され、マット部５と支柱９間にはシート１５が張設されている。マット部５、支柱９及びシート１５に囲まれた空間部が居住空間部１７となる。シート１５には出入口１９が形成され、この出入口１９は折畳式テント１の前面に備えられている。出入口１９の縁には開閉シート２１がファスナーを介して取り付けられ、ファスナーを開閉することで、出入口１９は開閉シート２１によって覆われる状態と開放される状態になる。
【００１３】
次に、この折畳式テント１の使用方法を説明する。
図４に示すように折畳式テント１は、（Ａ）に示すようにエア被充填部５ａ、エア被充填部９ａからエア供給口１１を介してエアを抜き、扁平となったマット部５、支柱９、シート１５とを重ね合せ、これを更に（Ｂ）に示すように折り畳む。このように、折畳式テント１はコンパクトな状態とできるので、嵩張らない状態で収納することができる。
【００１４】
折畳式テント１を使用する場合は、上記図４（Ａ）に示す状態とし、足踏み式エアポンプ２３のホース２５をエア供給口１１に連結する。そして、足踏み式エアポンプ２３によってエアをエア被充填部５ａへ送る。エア被充填部５ａへ送られたエアはエア被充填部９ａへ供給され、マット部５が膨らむと共に、支柱９が立ち上がる。支柱９が立ち上がるに従ってシート１５が広がり、図１に示したように支柱９が立設してシート１５が、マット部５と支柱９間に張設される状態となる。そして、ホース２５を外してから、栓体１３によってエア供給口１１を閉鎖する。
【００１５】
災害時など体育館等の大型の建物に集団で避難した際に、上記のように使用可能状態となった折畳式テント１を体育館等に設置して、居住空間部１７で着替え等を行うようにすれば、避難生活における互いのプライバシーを守ることが可能となる。
また、前述のように折畳式テント１は畳めばコンパクトな状態とできるので、嵩張らない状態で収納することが可能である。また、エアをエア被充填部５ａ、９ａに充填するだけで極めて簡単に張ることができ、使用可能な状態にすることができる。
【００１６】
本考案の第２の実施の形態に係る折畳式テント３１を図５から図８にしたがって説明する。
第２の実施の形態に係る折畳式テント３１は第１の実施の形態に係る折畳式テント１と同様の構成部分を有するので、同様の構成部分については第１の実施の形態で用いた符号を付して、その説明を省略する。
【００１７】
図５に折畳式テント３１の後述するエア被充填部３５ａ、３９ａ、４０ａにエアを充填して、折畳式テント３１を張った状態を示す。
符号３５はマット部を示し、このマット部３５はある程度の厚さ寸法を有するほぼ正方形に形成されている。マット部３５の上面には凹凸部３７が形成されている。
【００１８】
マット部３５の縁部には合計１３本の支柱３９が設けられており、支柱３９は隅角部と互いに隣接する隅角部間に設けられている。支柱３９はマット部３５の隅角部に配置されたものを除いて前側に３本、左右両側の縁部にそれぞれ２本、後側の縁部に２本配置されている。マット部３５の前側の縁部に配置された３本の支柱３９は互いに等間隔に配置され、左右両側の縁部にそれぞれ２本、後側の縁部に２本配置された支柱３９も等間隔に配置されている。
支柱３９の上端部には屋根部４０が連結されており、この屋根部４０は左右方向に緩やかに下がるように湾曲する形状に形成されている。
【００１９】
マット部３５は中空となっており、この中空の部分によってエア被充填部３５ａが構成されている。また、支柱３９も同様に中空となっており、この中空の部分によってエア被充填部３９ａが構成されている。更に、屋根部４０も同様に中空となっており、この中空の部分によってエア被充填部４０ａが構成されている。
エア被充填部３９ａは、その基端部においてエア被充填部３５ａと互いに連通し、更に、エア被充填部３９ａは、その上端部においてエア被充填部４０ａと互いに連通している。
マット部３５の右側部にはエア供給口１１が形成され、このエア供給口１１は栓体１３によって閉鎖することができるようになっている。
【００２０】
マット部３５、屋根部４０及び支柱３９間に連結されたシート４５が張設されている。マット部３５、支柱３９、シート４５及び屋根部４０に囲まれた空間部が居住空間部４７となる。折畳式テント３１の前面側のシート４５には出入口４９が形成され、この出入口４９は折畳式テント３１の前面の支柱３９の間に備えられている。出入口４９の縁には開閉シート５１がファスナーを介して取り付けられ、ファスナーを開閉することで、出入口４９は開閉シート５１によって覆われる状態と開放される状態になる。
また、折畳式テント３１の後面側のシート４５には窓部３８が形成され、この窓部３８には開閉シート５１によって覆われる状態と開放される状態になる。
【００２１】
次に、この折畳式テント３１の使用方法を説明する。
図８に示すように折畳式テント３１は、（Ａ）に示すようにエア被充填部３５ａ、３９ａ、４０ａからエアを抜いて、扁平となったマット部３５、支柱３９、シート４５更に屋根部４０とを重ね合せ、これを（Ｂ）に示すように折り畳む。このように畳んで、折畳式テント３１はコンパクトな状態とできるので、嵩張らない状態で収納することができる。
【００２２】
折畳式テント３１を使用する場合は、上記図８（Ａ）に示す状態とし、足踏み式エアポンプ２３のホース２５をエア供給口１１に連結する。そして、足踏み式エアポンプ２３によってエアをエア被充填部３５ａへ送る。エア被充填部３５ａへ送られたエアはエア被充填部３９ａ、エア被充填部４０ａへ供給され、マット部３５が膨らむと共に、支柱３９が立ち上がり、更に屋根部４０が膨らむ。支柱３９が立ち上がるに従ってシート４５が広がり、図５に示したように支柱３９が立設してシート４５が、マット部３５、支柱３９間及び屋根部４０に張設される状態となる。そして、ホース２５を外してから、栓体１３によってエア供給口１１を閉鎖する。
【００２３】
以上、本考案の実施の形態について詳述してきたが、具体的構成は、この実施の形態に限られるものではなく、本考案の要旨を逸脱しない範囲における設計の変更などがあっても考案に含まれる。
例えば、折畳式テントの形状は上記したものに限定されず、ドーム状等としてもよい。
また、エア供給口はマット部以外の、支柱や屋根部に設けるようにしてもよい。
【産業上の利用可能性】
【００２４】
本考案は折畳式テント製造業において利用可能性を有する。
【符号の説明】
【００２５】
１…折畳式テント      ５…マット部
５ａ…マット部のエア被充填部      ７…凹凸部
９…支柱    ９ａ…支柱のエア被充填部      １１…エア供給口
１３…栓体      １４…連結帯      １５…シート
１７…居住空間部      １９…出入口      ２１…開閉シート
２３…エアポンプ      ２５…ホース
３１…折畳式テント      ３５…マット部
３５ａ…マット部のエア被充填部      ３７…凹凸部
３８…窓部      ３９…支柱
３９ａ…支柱のエア被充填部      ４０…屋根部
４０ａ…屋根部のエア被充填部      ４５…シート      ４７…居住空間部
４９…出入口      ５１…開閉シート
【図１】
0003189582.tif 000003
【図２】
0003189582.tif 000004
【図３】
0003189582.tif 000005
【図４】
0003189582.tif 000006
【図５】
0003189582.tif 000007
【図６】
0003189582.tif 000008
【図７】
0003189582.tif 000009
【図８】
0003189582.tif 000010